(57)【要約】【課題】簡単な構成で表面に弾性糸である緯糸のしぼが表れず、外観性状が良好な伸縮性緯糸挿入経編み地とその製造方法を提供する。【解決手段】第一の筬Ｌ１により形成された第一編み組織１３と、第二の筬Ｌ２により形成された第二編み組織１４とを備える。第一第二編み組織１３，１４の編成に関わりなく第一第二編み組織１３，１４のコース方向に挿入された緯糸１５を備える。緯糸１５は、編成された生地のシンカーループ面では、第一編み組織１３の経糸１１と第二編み組織１４の経糸１２により、編み組織の各編み目において、各経糸１１，１２により緯糸１５がシンカーループ面側から２点以上で保持されている。第一編み組織１３、第二編み組織１４とも、鎖編み、デンビー編み、コード編み、アトラス編みなどの組織あるいはそれらを適宜変化させて繰り返す組織である。【選択図】図２
2015168902.tif 000002
【特許請求の範囲】
【請求項１】
第一の筬により形成された第一編み組織と、第二の筬により形成された第二編み組織と、前記第一第二編み組織の編成に関わりなく前記第一第二編み組織のコース方向に挿入された緯糸とを備え、前記緯糸は、編成された生地のシンカーループ面では、前記第一編み組織の経糸と前記第二編み組織の経糸により、編み組織の各編み目において、前記緯糸がシンカーループ面側から２点以上で保持されたことを特徴とする伸縮性緯糸挿入経編み地。
【請求項２】
前記第一編み組織と前記第二編み組織を形成した経糸は、弾性糸あるいは非弾性糸から成り、前記緯糸は、弾性糸あるいは弾性糸と非弾性糸の組み合わせである請求項１記載の伸縮性緯糸挿入経編み地。
【請求項３】
第一の筬により第一編み組織を形成し、第二の筬により第二編み組織を形成するとともに、同時に前記第一第二編み組織の編成に関わりなく前記第一第二編み組織のコース方向に緯糸を挿入して生地を形成し、編成される前記生地表面において、前記第一編み組織の経糸と前記第二編み組織の経糸により、コース方向に挿入された前記緯糸を、編み組織の各編み目において、前記緯糸をシンカーループ面側から２点以上で保持しながら編成することを特徴とする伸縮性緯糸挿入経編み地の製造方法。
【発明の詳細な説明】
【技術分野】
【０００１】
この発明は、経編みの編み地に伸縮性の緯糸が挿入された伸縮性緯糸挿入経編み地とその製造方法に関する。
【背景技術】
【０００２】
編み物は伸縮性が高く着用時の快適性にも優れるため、編み物の生地を用いた衣服は種々の分野で幅広く提供されている。さらに近年、これまで織物で製造されていた衣服にも、快適性の高い編み地が利用されている例も増加している。しかし、編み地は織物の生地と比較して張り感やコシが無く、形を保つ必要のある衣服や部材には不向きであった。
【０００３】
そこで、織物と編み物の両方の特性を持つような生地が求められ、例えば特許文献1に開示されているように、経編み地に緯糸が挿入された布帛が提案されている。この布帛は、経編み地の編目の間に、コース方向で長く延びた緯糸が挿入されて成るものである。この生地に挿入された緯糸は、編目を形成することはなく、コース方向に真っ直ぐに延びたもので、経編みの生地に緯糸が挿入されたものである。
【先行技術文献】
【特許文献】
【０００４】
【特許文献１】特開平１１−２７９９０７号公報
【発明の概要】
【発明が解決しようとする課題】
【０００５】
上記特許文献１に開示された布帛の構造は、経編みの構造がシングルデンビー編みによる編み組織で構成され、その編み目と編み目の間に緯糸が挿入されている構造である。従って、この布帛に挿入された緯糸は、生地シンカーループ側では経編みの各コース毎に、隣り合うウェールの間において１本の経糸でのみで保持される構造であった。
【０００６】
このため、伸縮性のある緯糸が挿入された経編み地を編成した場合、生地が編み機から外されてコース方向に収縮し張力のかからない状態になり、さらに、生地が湯通しされることにより収縮が生じて、しぼ立ちが表れるという現象があった。
【０００７】
従来、生地表面にしぼ立ちを形成した生地もあるが、そのような生地の状態を好む用途の衣服等の製品以外の場合、好ましくないものであった。特に、今日幅広い分野で従来の織物に代えて編み物の機能と織物の機能を合わせ持つことが求められ、衣服や部材等の用途によっては、特許文献1に開示されたような組織の生地は用いることができないものであった。
【０００８】
この発明は、上記背景技術に鑑みて成されたものであり、簡単な構成で表面に緯糸のしぼ立ちが表れず、外観性状が良好な伸縮性緯糸挿入経編み地とその製造方法を提供することを目的とする。
【課題を解決するための手段】
【０００９】
この発明は、第一の筬により形成された第一編み組織と、第二の筬により形成された第二編み組織と、前記第一第二編み組織の編成に関わりなく前記第一第二編み組織のコース方向に挿入された緯糸とを備え、前記緯糸は、編成された生地のシンカーループ面では、前記第一編み組織の経糸と前記第二編み組織の経糸により、編み組織の各編み目において、前記緯糸がシンカーループ面側から２点以上で保持される伸縮性緯糸挿入経編み地である。
【００１０】
前記第一編み組織と前記第二編み組織を形成した経糸は、弾性糸あるいは非弾性糸から成り、前記緯糸は、弾性糸あるいは弾性糸と非弾性糸の組み合わせである。
【００１１】
またこの発明は、第一の筬により第一編み組織を形成し、第二の筬により第二編み組織を形成するとともに、同時に前記第一第二編み組織の編成に関わりなく前記第一第二編み組織のコース方向に緯糸を挿入して生地を形成し、編成される前記生地表面において、前記第一編み組織の経糸と前記第二編み組織の経糸により、コース方向に挿入された前記緯糸を、編み組織の各編み目において前記緯糸をシンカーループ面側から２点以上で保持しながら編成する伸縮性緯糸挿入経編み地の製造方法である。
【発明の効果】
【００１２】
この発明の伸縮性緯糸挿入経編み地とその製造方法によれば、簡単な構造で表面性状が滑らかでしぼ立ち等が無く、編み物と織物の特徴を合わせ持った編み地を容易に形成することができるものである。
【図面の簡単な説明】
【００１３】
【図１】この発明の第一実施形態の経編地の編組織を示す図である。
【図２】第一実施形態の経編地の編組織の第一の編み組織を示す図である。
【図３】第一実施形態の経編地の編組織の第二の編み組織を示す図である。
【図４】この発明の第二実施形態の経編地の編組織を示す正面図である。
【図５】この発明の第三実施形態の経編地の編組織を示す正面図である。
【発明を実施するための形態】
【００１４】
以下、この発明の実施形態の経編み地について、図面に基づいて説明する。図１〜図３はこの発明の第一実施形態の経編地の組織を示すもので、この実施形態の経編地１０は、図1に示すような第一組織１３と第二組織１４とを備えている。第一組織１３は、第一の筬Ｌ１により形成され、経糸１１により第一の筬Ｌ１の糸位置番号（１０／１２）を繰り返すデンビー編みにより編成されている。第二組織１４は、経糸１２により第二の筬Ｌ２の糸位置番号（１０／０１）を繰り返す鎖編みにより編成された第二組織１４により形成されている。
【００１５】
第一組織１３の経糸１１は、非弾性糸あるいは弾性糸で、ポリエステルやナイロン、キュプラ、アセテート、ポリウレタンあるいはそれらを複合した糸等が用いられ、太さは適宜選択されるものであり、例えば１５〜２００デニールである。経糸１１の送り量は、８０ｃｍ〜２５０ｃｍ／ＲＡＣＫ（１ＲＡＣＫ＝編み目４８０個分）で、例えば１２４ｃｍ／ＲＡＣＫが好ましい。
【００１６】
第二組織１４の経糸１２も、非弾性糸あるいは弾性糸で、ポリエステルやナイロン、キュプラ、アセテート、ポリウレタンあるいはそれらを複合した糸等が用いられ、太さは適宜選択されるものであり、例えば１５〜２００デニールである。経糸１２の送り量も、８０ｃｍ〜２５０ｃｍ／ＲＡＣＫで、例えば１２０ｃｍ／ＲＡＣＫが好ましい。
【００１７】
経編地１０の編み組織に挿入される伸縮性の緯糸１５は、弾性糸あるいは弾性糸と非弾性糸の組み合わせであり、綿などの天然繊維、ポリエステルやナイロンなどの化学繊維、ポリウレタンなどやそれらを複合した糸等が用いられ、用途に合わせて適宜の太さが選択されるものであり、例えば１５〜５００デニールである。
【００１８】
この実施形態の経編地１０の製造は、第一の筬Ｌ１により第一編み組織１３を形成し、第二の筬Ｌ２により第二編み組織１４を形成するとともに、同時に第一第二編み組織１３，１４の編成に関わりなく第一第二編み組織１３，１４のコース方向に、１コース毎に緯糸１５を挿入して経編地１０を編成して行くものである。
【００１９】
この実施形態の経編地１０は、挿入された緯糸１５に対して、経編地１０の各コースにて、第一編み組織１３の経糸１１のシンカーループにより形成される保持部１１ａが、経編地１０のシンカーループ面側から緯糸１５の表面を保持する。さらに、第二編み組織１４の経糸１２のシンカーループにより形成される保持部１２ａも、経編地１０のシンカーループ面側から緯糸１５の表面を保持する構造になる。これにより、弾性糸である緯糸１５が経編地１０の編成後に、編み機から外されてコース方向に収縮し張力のかからない状態となり湯通しにより収縮しても、経編地１０のシンカーループ面側では、編み組織の各編み目において、緯糸１５が経糸１１，１２による２点で保持されるので、緯糸１５のしぼ立ちが生じない。
【００２０】
この実施形態の経編地１０は、経編みによる第一第二の編み組織１３，１４に、コース方向に真っ直ぐに緯糸１５が挿入され、編み物の生地に張りやコシが生じるとともに、生地表面に弾性糸である緯糸１５によるしぼ立ちがなく、伸縮性を持ちながらも滑らかで良好な表面性状を呈するものである。なお、第一第二の編み組織１３，１４は、閉じ目及び開き目の何れでも良く、上記組み合わせに限定されるものではない。
【００２１】
この発明の経編地を用いた衣服としては、従来織物で製造されていた上着やズボン、スカート、外套、スポーツ用ウエアなどに利用することが出来る。また、それ以外の様々な部材としても適宜利用することができる。
【００２２】
次に、この発明の経編地の第二実施形態について、図４を基にして説明する。ここで、上記実施形態と同様の部材は、同一の符号を付して説明を省略する。この実施形態の経編地２０は、第一組織１３をコード編みによる編み組織とし、第二編み組織１４をデンビー編みの編み組織としたものである。
【００２３】
この実施形態の経編地２０によっても、上記実施形態と同様の機能を有し、同様の作用効果を有するものである。
【００２４】
次に、この発明の伸縮性緯経編地の第三実施形態について、図５を基にして説明する。ここで、上記実施形態と同様の部材は、同一の符号を付して説明を省略する。この実施形態の経編地２２は、第一組織１３をシングルアトラス編みによる編み組織とし、第二編み組織１４を鎖編みの編み組織としたものである。
【００２５】
この実施形態の経編地２２によっても、上記実施形態と同様の機能を有し、同様の作用効果を有するものである。
【００２６】
なお、この発明の伸縮性緯糸挿入経編み地とその製造方法は前記実施形態に限定されるものではなく、経糸１１，１２の太さや種類は、用途により適宜選択可能なものであり、経糸の編成方法も適宜変化をもたせて繰り返す構成でも良い。挿入される緯糸も、適宜の太さ及び種類の糸を用いることができるものである。
【００２７】
また、第一、第二編み組織は、閉じ目及び開き目の何れでも良いものであり、鎖編み、デンビー編み、コード編み、アトラス編みなどの組織、あるいはそれらを適宜変化させて繰り返す構成の組織の、同一又は異なる組織の組み合わせでも良い。さらに、編み目やその他、編地の用途により、適宜の編み組織を組み合わせても良い。
【００２８】
さらに、この発明の伸縮性緯糸挿入経編み地に柄を入れても良く、そのための編成時の筬数も適宜設定し得るものである。
【符号の説明】
【００２９】
１０  経編地
１１，１２  経糸
１３  第一編み組織
１４  第二編み組織
１５  緯糸
Ｌ１，Ｌ２  筬
【図１】
2015168902.tif 000003
【図２】
2015168902.tif 000004
【図３】
2015168902.tif 000005
【図４】
2015168902.tif 000006
【図５】
2015168902.tif 000007